(57)【特許請求の範囲】
【請求項１】
密封性を有した薄板状の素材の両側縁部を重複して筒形状にした胴部材と；
密封性を有した薄板状の素材により形成され、胴部材の一方の開口端部に固定され上記一方の開口端部の開口を閉塞する第１の蓋部材と；
密封性を有した薄板状の素材により形成され、胴部材の他方の開口端部に固定され上記他方の開口端部の開口を閉塞する第２の蓋部材と；そして、
胴部材の上記素材の両側縁部の中で重複部位において外方に位置した側縁部に設けられて外部に露出されており、外力が負荷されて上記外方に位置した側縁部に上記外力を伝達し、上記外力により上記重複部位において内方に位置した側縁部からの上記外方に位置した側縁部の遠ざけを可能にするとともに、引き続き第１の蓋部材及び第２の蓋部材に対する胴部材の一方の開口端部及び他方の開口端部の固定を解除可能にする取っ手部材と；
を備えており、
第１の蓋部材が、胴部材の一方の開口端部の開口の横断面形状及び寸法と同じ形状及び寸法を有した本体と、本体の周囲に設けられた張り出し部と、を含んでおり、胴部材の一方の開口端部の開口中に本体が配置され、上記一方の開口端部の内周面に張り出し部が固定されていて、
上記第２の蓋部材が上記胴部材の他方の開口端部の開口の横断面形状及び寸法と同じ形状及び寸法を有した本体と、本体の周囲に設けられた張り出し部と、を含んでおり、上記胴部材の上記他方の開口端部の開口中に本体が配置され、上記他方の開口端部の内周面に張り出し部が固定されており、
上記胴部材の上記素材における上記両側縁部の上記重複部位は上記両側縁部に沿い相互に固定されているとともに、上記固定は上記固定の強度を所望の強さに調節する固定強度調節処理を伴い行なわれており、
上記固定は、上記取っ手部材に対応した部分がそれ以外の部分よりも上記取っ手部材の先端に接近して行なわれていて、
上記取っ手部材は、上記外方に位置した側縁部において上記胴部材の長手方向中心線に沿った方向における中央部分から上記内方に位置している側縁部の外表面に沿い突出し、
上記取っ手部材において上記長手方向中心線に沿った方向に位置している両端縁は、上記取っ手部材の先端から上記外方に位置した側縁部に向かうにつれて徐々に上記長手方向中心線に沿った方向における夫々の外方に向かい拡大する湾曲面により構成されている、
ことを特徴とする密封容器。
【請求項２】
上記胴部材の上記素材における上記両側縁部の上記重複部位は上記両側縁部に沿いヒートシールにより相互に固定されているとともに上記ヒートシールは上記ヒートシールの固定強度を所望の強度に調節するヒートシール強度調節処理を伴い行なわれている、ことを特徴とする請求項１に記載の密封容器。
【請求項３】
上記胴部材の上記重複部位が密封処理されている、ことを特徴とする請求項１に記載の密封容器。
【請求項４】
上記密封処理は、上記胴部材の上記素材の両側縁部の中で重複部位において内方に位置した側縁部の端面と、上記側縁部の内表面及び外表面における上記端面に隣接した部分と、を覆う密封テープにより行なわれており、
上記密封テープにおいて上記側縁部の外表面における上記端面に隣接した部分を覆う外表面隣接部分は、上記側縁部の長手方向に沿い連続して上記素材の両側縁部の中で重複部位において外方に位置した側縁部に固定されている、
ことを特徴とする請求項３に記載の密封容器。
【請求項５】
上記密封テープの上記外表面隣接部分又は上記胴部材の上記素材の両側縁部の中で重複部位において外方に位置した側縁部の内表面は、上記固定の強度を所望の強さに調節する固定強度調節処理されている、ことを特徴とする請求項４に記載の密封容器。
【請求項６】
上記固定は、ヒートシールにより行なわれている、ことを特徴とする請求項４又は５に記載の密封容器。
【請求項７】
上記薄板状材料が遮光性を有する、ことを特徴とする請求項１乃至請求項６のいずれか１項に記載の密封容器。
【請求項８】
上記第１の蓋部材の上記張り出し部が上記胴部材の一方の開口端部の内周面の全周に渡り連続して固定されているとともに、上記第２の蓋部材が上記胴部材の他方の開口端部の内周面の全周に渡り連続して固定されている、ことを特徴とする請求項１乃至７のいずれか１項に記載の密封容器。
【請求項９】
上記第１の蓋部材の上記張り出し部及び上記第２の蓋部材の上記張り出し部、又は上記胴部材の上記素材の上記一方及び上記他方の開口端部の内周面が、上記胴部材の上記素材において上記重複部位で外方に位置した側縁部に続く所望の長さの部位の上記一方及び上記他方の開口端部の内周面に対する固定の強度を所望の強さに調節する固定強度調節処理されている、ことを特徴とする請求項８に記載の密封容器。
【請求項１０】
上記胴部材の一方の開口端部の内周面に対する上記第１の蓋部材の上記張り出し部の固定及び上記胴部材の他方の開口端部の内周面に対する上記第２の蓋部材の上記張り出し部の固定がヒートシールにより行なわれている、ことを特徴とする請求項８に記載の密封容器。
【請求項１１】
上記第１の蓋部材の上記張り出し部及び上記第２の蓋部材の上記張り出し部、又は上記胴部材の上記素材の上記一方及び上記他方の開口端部の内周面が、上記胴部材の上記素材において上記重複部位で外方に位置した側縁部に続く所望の長さの部位の上記一方及び上記他方の開口端部の内周面に対する上記第１の蓋部材の上記張り出し部及び上記第２の蓋部材の上記張り出し部のヒートシールの強度を所望の強さに調節するヒートシール強度調節処理されている、ことを特徴とする請求項１０に記載の密封容器。
【請求項１２】
上記取っ手部材が上記胴部材の上記素材とは別体に形成され、上記胴部材の上記素材の両側縁部の中で重複部位において外方に位置した側縁部に固定されている、ことを特徴とする請求項１乃至１１のいずれか１項に記載の密封容器。
【請求項１３】
上記取っ手部材が上記胴部材の上記素材と一体に形成されて上記胴部材の上記素材の両側縁部の中で重複部位において外方に位置した側縁部に固定されている、ことを特徴とする請求項１乃至１１のいずれか１項に記載の密封容器。
【請求項１４】
上記重複部位の上記固定は、上記取っ手部材に対応した部分において上記取っ手部材の先端に向いて突出した頂点から上記取っ手部材に対応した部分の両側に位置している上記取っ手部材に対応していない部分の両側に向かうにつれて徐々に直線状に傾斜している、
ことを特徴とする請求項１乃至１３のいずれか１項に記載の密封容器。
【請求項１５】
上記重複部位の上記固定は、上記取っ手部材に対応した部分のみが上記取っ手部材に向かい突出しているが、上記取っ手部材に対応した部分の両側に位置している上記取っ手部材に対応していない部分は上記内方に位置している側縁部の端面に沿い平行である、
ことを特徴とする請求項１乃至１３のいずれか１項に記載の密封容器。
【請求項１６】
上記重複部位の上記固定は、上記取っ手部材に対応する部分から上記内方に位置している側縁部の両側に向かうにつれて徐々に上記内方に位置している側縁部の端面に向かい湾曲している、
ことを特徴とする請求項１乃至１３のいずれか１項に記載の密封容器。
【発明の詳細な説明】
【０００１】
【発明の属する技術分野】
この発明は密封容器に関係しており、より詳細には、筒形状の胴部材と、胴部材の一方の開口に固定され上記一方の開口を閉塞する第１の蓋部材と、そして、胴部材の他方の開口に固定され上記他方の開口を閉塞する第２の蓋部材と、を備えている密封容器に関係している。
【０００２】
【従来の技術】
従来、薄板状の素材から上述した如き構成により容易に安価に密封容器を作成することは行なわれていた。
【０００３】
【発明が解決しようとする課題】
しかしながら、密封容器の密封性の程度を高める為に、胴部材の為の素材を胴部材に成形する為に必要な自身の複数の部分の相互の固定、そして胴部材の素材に対する第１及び第２の蓋部材の夫々の為の素材の固定を強固にすると、密封容器の開封が困難になる。
【０００４】
この発明は上記事情の下で為され、この発明の目的は、従来に比べ容易に安価に製造することが出来るとともに密封性の程度を高めても開封が容易である密封容器を提供することである。
【０００５】
【課題を解決するための手段】
上述したこの発明の目的を達成する為に、この発明に従った密封容器は：密封性を有した薄板状の素材の両側縁部を重複して筒形状にした胴部材と；密封性を有した薄板状の素材により形成され、胴部材の一方の開口端部に固定され上記一方の開口端部の開口を閉塞する第１の蓋部材と；密封性を有した薄板状の素材により形成され、胴部材の他方の開口端部に固定され上記他方の開口端部の開口を閉塞する第２の蓋部材と；そして、胴部材の上記素材の両側縁部の中で重複部位において外方に位置した側縁部に設けられて外部に露出されており、外力が負荷されて上記外方に位置した側縁部に上記外力を伝達し、上記外力により上記重複部位において内方に位置した側縁部からの上記外方に位置した側縁部の遠ざけを可能にするとともに、引き続き第１の蓋部材及び第２の蓋部材に対する胴部材の一方の開口端部及び他方の開口端部の固定を解除可能にする取っ手部材と；を備えている。
そして、第１の蓋部材が、胴部材の一方の開口端部の開口の横断面形状及び寸法と同じ形状及び寸法を有した本体と、本体の周囲に設けられた張り出し部と、を含んでおり、胴部材の一方の開口端部の開口中に本体が配置され、上記一方の開口端部の内周面に張り出し部が固定されていて、
上記第２の蓋部材が上記胴部材の他方の開口端部の開口の横断面形状及び寸法と同じ形状及び寸法を有した本体と、本体の周囲に設けられた張り出し部と、を含んでおり、上記胴部材の上記他方の開口端部の開口中に本体が配置され、上記他方の開口端部の内周面に張り出し部が固定されており、
上記胴部材の上記素材における上記両側縁部の上記重複部位は上記両側縁部に沿い相互に固定されているとともに、上記固定は上記固定の強度を所望の強さに調節する固定強度調節処理を伴い行なわれており、
上記固定は、上記取っ手部材に対応した部分がそれ以外の部分よりも上記取っ手部材の先端に接近して行なわれていて、
上記取っ手部材は、上記外方に位置した側縁部において上記胴部材の長手方向中心線に沿った方向における中央部分から上記内方に位置している側縁部の外表面に沿い突出し、
上記取っ手部材において上記長手方向中心線に沿った方向に位置している両端縁は、上記取っ手部材の先端から上記外方に位置した側縁部に向かうにつれて徐々に上記長手方向中心線に沿った方向における夫々の外方に向かい拡大する湾曲面により構成されている、
ことを特徴としている。
【０００６】
上記胴部材の上記重複部位は密封処理されていても良い。
【０００７】
上記密封処理は、上記胴部材の上記素材の両側縁部の中で重複部位において内方に位置した側縁部の端面と、上記側縁部の内表面及び外表面における上記端面に隣接した部分と、を覆う密封テープにより行なわれていても良い。
【０００８】
上記密封テープにおいて上記側縁部の外表面における上記端面に隣接した部分を覆う外表面隣接部分は、上記側縁部の長手方向に沿い連続して上記素材の両側縁部の中で重複部位において外方に位置した側縁部に固定されていても良い。
【０００９】
上記記密封テープの上記外表面隣接部分又は上記胴部材の上記素材の両側縁部の中で重複部位において外方に位置した側縁部の内表面は、上記固定の強度を所望の強さに調節する固定強度調節処理されていても良い。
【００１０】
上記固定は、ヒートシールにより行なわれていても良い。
【００１１】
上記固定は、上記取っ手部材に対応した部分がそれ以外の部分よりも上記取っ手部材の先端に接近して行なわれていても良い。
【００１５】
上記薄板状材料が遮光性を有していても良い。
【００１６】
上記第１の蓋部材の上記張り出し部が上記胴部材の一方の開口端部の内周面の全周に渡り連続して固定されているとともに、上記第２の蓋部材が上記胴部材の他方の開口端部の内周面の全周に渡り連続して固定されていても良い。
【００１７】
上記第１の蓋部材の上記張り出し部及び上記第２の蓋部材の上記張り出し部、又は上記胴部材の上記素材の上記一方及び上記他方の開口端部の内周面が、上記胴部材の上記素材において上記重複部位で外方に位置した側縁部に続く所望の長さの部位の上記一方及び上記他方の開口端部の内周面に対する固定の強度を所望の強さに調節する固定強度調節処理されていても良い。
【００１８】
上記胴部材の一方の開口端部の内周面に対する上記第１の蓋部材の上記張り出し部の固定及び上記胴部材の他方の開口端部の内周面に対する上記第２の蓋部材の上記張り出し部の固定がヒートシールにより行なわれていても良い。
【００１９】
上記第１の蓋部材の上記張り出し部及び上記第２の蓋部材の上記張り出し部、又は上記胴部材の上記素材の上記一方及び上記他方の開口端部の内周面が、上記胴部材の上記素材において上記重複部位で外方に位置した側縁部に続く所望の長さの部位の上記一方及び上記他方の開口端部の内周面に対する上記第１の蓋部材の上記張り出し部及び上記第２の蓋部材の上記張り出し部のヒートシールの強度を所望の強さに調節するヒートシール強度調節処理されていても良い。
【００２０】
上記取っ手部材が上記胴部材の上記素材とは別体に形成され、上記胴部材の上記素材の両側縁部の中で重複部位において外方に位置した側縁部に固定されていても良い。
【００２１】
上記取っ手部材が上記胴部材の上記素材と一体に形成されて上記胴部材の上記素材の両側縁部の中で重複部位において外方に位置した側縁部に固定されていても良い。
【００２４】
上記胴部材の上記素材における上記両側縁部の上記重複部位は上記両側縁部に沿いヒートシールにより相互に固定されているとともに上記ヒートシールは上記ヒートシールの固定強度を所望の強度に調節するヒートシール強度調節処理を伴い行なわれていても良い。
【００２５】
上記ヒートシールは上記取っ手部材に対応した部分がそれ以外の部分よりも上記取っ手部材の先端に接近して行なわれていても良い。
【００２６】
以下、この発明の一実施の形態及びその種々の変形例を添付の図面を参照しながら詳細に説明する。
【００２７】
【発明の実施の形態】
先ず最初に、この発明の一実施の形態に従った密封容器について添付の図面中の図１乃至図４を参照しながら詳細に説明する。
【００２８】
なお、図１の（Ａ）は、この発明の一実施の形態に従った密封容器の概略的な斜視図であり；図１の（Ｂ）は、図１の（Ａ）のＢ−Ｂ線に沿った概略的な縦断面図であり；図２の（Ａ）は、図１の（Ａ）の密封容器の筒状の胴部材の展開図であり；図２の（Ｂ）は、図２の（Ａ）の展開されている胴部材の側面図であり；図３の（Ａ）は、図１の（Ａ）のＡ−Ａ線に沿った概略的な横断面図であり；図３の（Ｂ）は、図３の（Ａ）の横断面図に示されていた密封容器の筒状の胴部材の取っ手に外力が負荷されて密封容器の筒状の胴部材の素材の重複部位の固定が解除され、さらに胴部材の両開口端部の開口を閉塞している第１及び第２の蓋部材の張り出し部に対する胴部材の両開口端部の固定の一部が解除されて、密封容器が開封された状態を示す横断面図であり；そして、図４は、図３の（Ａ）に示されていた密封容器の横断面図に示されていた密封容器の筒状の胴部材の素材の重複部位を、上記重複部位に設けられている密封テープ及び上記重複部位に隣接した第１の蓋部材の張り出し部とともに、拡大した横断面で示す横断面図である。
【００２９】
図１の（Ａ）及び（Ｂ）中に良く示されている如く、この発明の一実施の形態に従った密封容器１０は、筒形状の胴部材１２と、胴部材１２の一方の開口端部に固定され上記一方の開口を閉塞する第１の蓋部材１４と、胴部材１２の他方の開口端部に固定され上記他方の開口を閉塞する第２の蓋部材１６と、そして胴部材１２に設けられて外部に露出されている取っ手部材１８と、を備えている。
【００３０】
より詳細には、胴部材１２は、図２の（Ａ）中に詳細に示されている如き密封性を有した薄板状の素材１２ａの両側縁部を相互に重複されて図３の（Ａ）中に示されている如き筒形状にされている。この実施の形態では、上記両側縁部は相互の重複部位１２ｂにおいて相互に間接的に固定されているが、相互に直接的に固定されることも出来る。なお重複部位１２ｂにおける薄板状の素材１２ａの両側縁部の相互に間接的な固定は、この明細書中で後で詳細に説明される。
【００３１】
この実施の形態において、胴部材１２の横断面は四角筒形状であったが、三角形や四角以上の多角形状であっても良いし、真円形状や楕円形状であっても良い。
【００３２】
この実施の形態では、取っ手部材１８は胴部材１２の素材１２ａの上記両側縁部の重複部位１２ｂにおいて外方に位置している外方側縁部１２ａ−１と一体に形成されていて、外方側縁部１２ａ−１において胴部材１２の長手方向中心線に沿った方向における中央部分から素材１２ａの上記両側縁部の重複部位１２ｂにおいて内方に位置している内方側縁部１２ａ−２の外表面に沿い突出している。
【００３３】
取っ手部材１８の先端における上記長手方向中心線に沿った方向の幅は人の指により摘める程度である。上記長手方向中心線に沿った方向における取っ手部材１８の両端縁１８ａは、取っ手部材１８の先端から胴部材１２の素材１２ａの外方側縁部１２ａ−１に向うにつれて徐々に上記長手方向中心線に沿った方向における夫々の外方に向かい拡大する比較的大きな湾曲面により構成されている。
【００３４】
このような湾曲面は、胴部材１２の素材１２ａの両側縁部の重複部位１２ｂにおける相互の間接的または直接的な固定を解除する為に、取っ手部材１８を摘み取っ手部材１８に外力を負荷し引っ張った時に、胴部材１２の素材１２ａの外方側縁部１２ａ−１よりも幅の狭い取っ手部材１８の両端縁１８ａと外方側縁部１２ａ−１との境界に取っ手部材１８に負荷された外力が集中して両端縁１８ａの少なくともいずれか一方が破れてしまうことを防止している。
【００３５】
なお、上記固定を解消する為に取っ手部材１８を摘み取っ手部材１８に外力を負荷し引っ張った時に、取っ手部材１８の両端縁１８ａと外方側縁部１２ａ−１との境界に取っ手部材１８に負荷された外力が集中して両端縁１８ａの少なくともいずれか一方が破れてしまうことがなければ、胴部材１２の素材１２ａの外方側縁部１２ａ−１に対し上記長手方向中心線に沿ったいずれの位置でも外方側縁部１２ａ−１と一体に形成することが出来るし、取っ手部材１８の両端縁１８ａの形状や寸法も自由に調節することが出来る。
【００３６】
また、胴部材１２の素材１２ａの外方側縁部１２ａ−１と一体に形成されている取っ手部材１８と同様に機能できるのであれば、取っ手部材１８は、胴部材１２の素材１２ａとは別体に形成されていて、胴部材１２の素材１２ａの外方側縁部１２ａ−１の外表面の任意の位置に、例えばヒートシールや接着剤やその他の公知の固定手段により固定されていることが出来る。
【００３７】
胴部材１２の素材１２ａの上記両側縁部の重複部位１２ｂにおける密封性の程度を上げるために、この実施の形態では、重複部位１２ｂにおいて内方に位置する内方側縁部１２ａ−２の端面と内方側縁部１２ａ−２の外表面と内表面において上記端面に隣した部位が、胴部材１２の長手方向中心線に沿った方向の全域に渡り密封テープ２０により覆われている。
【００３８】
密封テープ２０は、胴部材１２の素材１２ａの内方側縁部１２ａ−２において胴部材１２の長手方向中心線に沿った方向で外部空間に露出される長手方向両端から素材１２中に含まれる空気透過可能材料に極めて僅かではあるが侵入した空気が、内方縁部１２ａ−２において胴部材１２の周方向に沿った端面から胴部材１２の内部空間中に漏れ出ることを遮断する。
【００３９】
密封テープ２０において、胴部材１２の素材１２ａの内方側縁部１２ａ−２の上記外表面を覆った外表面隣接部分の外表面は、胴部材１２の素材１２ａの外方側縁部１２ａ−１の内周面に対向しているが、外方側縁部１２ａ−１の内周面に固定されていることが出来る。このことは、胴部材１２の素材１２ａの両側縁部の重複部位１２ｂにおいて内方側縁部１２ａ−２と外方側縁部１２ａ−１とが密封テープ２０を介して間接的に固定されていることを意味する。
【００４０】
密封テープ２０の外表面隣接部分の外表面と胴部材１２の素材１２ａの外方側縁部１２ａ−１の内周面との相互の固定は、ヒートシールにより行なうことが出来るし、密封容器１０の要求する密封の程度が低ければ接着剤により行なうことが出来る。また上記固定は、長手方向中心線に沿った方向の全域に渡り連続して行なわれることが出来るし、不連続に行なわれることも出来る。
【００４１】
この実施の形態において、さらに上記固定は、図１中に点線１２ｃで示されている如く、上記長手方向中心線に沿った方向において取っ手部材１８に対応した部分１２ｃ−１が取っ手部材１８に対応していない部分よりも取っ手部材１８の先端に接近している。
【００４２】
このことにより、取っ手部材１８に負荷された引っ張り力が、図１中に点線１２ｃで示されている上記固定において取っ手部材１８に対応し取っ手部材１８に対応していない部分よりも取っ手部材１８の先端に接近している部分１2Ｃ−１に集中し、取っ手部材１８に引っ張り力を負荷し続けることにより部分１2Ｃ−１からその両側の固定部分へと容易に固定の解除を進めることが出来る。
【００４３】
取っ手部材１８を使用した胴部材１２の両側縁部の重複部位１２ｂにおける上記固定の解除の際に、胴部材１２の素材１２ａの外方側縁部１２ａ−１の内周面が密封テープ２０の外表面隣接部分の外表面との固定をさらに容易に解除することができるように、密封テープ２０の外表面隣接部分の外表面又は胴部材１２の素材１２ａの両側縁部の重複部位１２ｂにおいて外方に位置した外方側縁部１２ａ−１の内表面は、上記固定の強度を所望の強さに調節する固定強度調節処理されていることが出来る。上記固定が、ヒートシールにより行なわれている場合には、上記固定強度調節処理はヒートシール強度調節処理になる。
【００４４】
胴部材１２の素材１２ａの上記両側縁部はまた、重複部位１２ｂにおいて、素材１２ａの密封性を損なわない公知の種々の固定手段により相互に直接的に固定されることも出来る。
【００４５】
素材１２ａの上記両側縁部を上記公知の種々の固定手段により相互に直接的に固定する場合は、例えばヒートシールにより行なうことが出来るが、この密封容器１０に求められる密封の程度によっては接着剤により行なうことも出来る。そして、上記直接的な固定は、胴部材１２の素材１２ａの重複部位１２ｂにおいて上記長手方向中心線に沿った全幅に渡り連続していることが出来るし、この密封容器１０に求められる密封の程度によっては、上記長手方向中心線に沿い不連続であっても良い。さらに上記直接的な固定は、図１中に点線１２ｃで示されている如き前述した間接的な固定の場合と同様に、上記長手方向中心線に沿った方向において取っ手部材１８に対応した部分１２ｃ−１が取っ手部材１８に対応していない部分よりも取っ手部材１８の先端に接近していることが出来る。
【００４６】
このことにより、取っ手部材１８に負荷された引っ張り力が、図１の（Ａ）中に点線１２ｃで示されている前述の密封テープ２０の上記固定において取っ手部材１８に対応し取っ手部材１８に対応していない部分よりも取っ手部材１８の先端に接近している部分１2Ｃ−１のような、取っ手部材１８の先端に接近している部分に集中し、取っ手部材１８に引っ張り力を負荷し続けることにより取っ手部材１８の先端に接近している部分からその両側の固定部分へと容易に固定の解除を進めることが出来る。
【００４７】
さらに、胴部材１２の素材１２ａの上記両側縁部の重複部位１２ｂにおいて相互に直接的に固定する場合は、この固定強度を所望の強さに調節する為の固定強度調節処理をされていることが出来る。
【００４８】
上記固定が、ヒートシールにより行なわれている場合には、ヒートシールによるこの固定強度を所望の強さに調節する為のヒートシール固定強度調節処理をされていることが出来る。
【００４９】
いずれにしても、取っ手部材１８を掴み取っ手部材１８に引っ張り力を負荷することにより、胴部材１２の素材１２ａの重複部位１２ｂにおける内方側縁部１２ａ−２に対する外方側縁部１２ａ−１の上述した如き間接的な固定はもとより、内方側縁部１２ａ−２に対して外方側縁部１２ａ−１が素材１２ａの密封性を損なわない公知の種々の固定手段により相互に直接的に固定されている場合も、解除可能にし、しかも上記固定に上記固定強度調節処理をすることにより、上記固定の強度を常に所望の強度に調節しておくことが出来る。
【００５０】
この発明の考えに従えば、胴部材１２の両側縁部の重複部位１２ｂにおける内方側縁部１２ａ−２に対する外方側縁部１２ａ−１の固定は、上述した如き密封テープ２０を介した間接的な固定や、上述した如き密封テープ２０を介さない直接的な固定や、上記間接的な固定と上記直接的な固定との組合せのいずれかであることが出来る。
【００５１】
第１の蓋部材１４は、密封性を有した薄板状の素材により形成されており、胴部材１２の一方の開口端部の開口の横断面形状及び寸法と同じ形状及び寸法を有した本体１４ａと、本体１４ａの周囲に設けられた張り出し部１４ｂと、を含んでいる。胴部材１２の一方の開口端部の開口中に本体１４ａが配置され、上記一方の開口端部の内周面に張り出し部１４ｂが固定されている。この実施の形態において、張り出し部１４ｂは、本体１４ａの周囲の全周に渡り張り出されているが、所望に応じて上記全周の中の必要な部位にのみ張り出させることも出来る。
【００５２】
また、この実施の形態において、胴部材１２の一方の開口端部の内周面に対する第１の蓋部材１４の張り出し部１４ｂの固定は上記内周面の全周に渡り連続したヒートシールにより行なわれているが、密封容器１０に要求される密封の程度によっては、上記固定を接着剤により行なうことも出来るし、ヒートシールや接着剤による固定を上記内周面に対し不連続に行なうことも出来る。
【００５３】
第２の蓋部材１６は、第１の蓋部材１４と全く同じ構成である。即ち、第２の蓋部材１６は、密封性を有した薄板状の素材により形成されており、胴部材１２の他方の開口端部の開口の横断面形状及び寸法と同じ形状及び寸法を有した本体１６ａと、本体１６ａの周囲に設けられた張り出し部１６ｂと、を含んでいる。胴部材１２の他方の開口端部の開口中に本体１６ａが配置され、上記他方の開口端部の内周面に張り出し部１６ｂが固定されている。この実施の形態において、張り出し部１６ｂは、本体１６ａの周囲の全周に渡り張り出されているが、所望に応じて上記全周の中の必要な部位にのみ張り出させることも出来る。
【００５４】
また、この実施の形態において、胴部材１２の他方の開口端部の内周面に対する第２の蓋部材１６の張り出し部１６ｂの固定は上記内周面の全周に渡り連続したヒートシールにより行なわれているが、密封容器１０に要求される密封の程度によっては、上記固定を接着剤により行なうことも出来るし、ヒートシールや接着剤による固定を上記内周面に対し不連続に行なうことも出来る。
【００５５】
胴部材１２の一方及び他方の開口端部の内周面、又は第１の蓋部材１４の張り出し部１４ｂ及び第２の蓋部材１６の張り出し部１６ｂにおいて、少なくとも、胴部材１２の素材１２ａにおいて重複部位１２ｂの外方側縁部１２ａ−１に続く部分が、上記固定の強度を所望の強さに調節する固定強度調節処理されている。
【００５６】
この様に、密封性を有した薄板状の素材１２ａにより筒状に形成されていて、一方及び他方の開口端部の開口が密封性を有した薄板状の素材により形成されている第１の蓋部材１４及び第２の蓋部材１６により閉塞されている胴部材１２により構成されている密封容器１０を開封する時には、取っ手部材１８を掴み取っ手部材１８に引っ張り力を負荷する。
【００５７】
この結果、胴部材１２の素材１２ａの重複部位１２ｂにおける内方側縁部１２ａ−２に対する外方側縁部１２ａ−１の固定が先ず最初に解除され、次に外方側縁部１２ａ−１の内周面に対して内方側縁部１２ａ−２の密封シール２０の外表面隣接部位が固定されていればこの固定が解除され、最後に、図３の（Ｂ）中に示されている如く、胴部材１２の一方及び他方の開口端部の内周面に対する第１の蓋部材１４の張り出し部１４ｂ及び第２の蓋部材１６の張り出し部１６ｂの少なくとも胴部材１２の素材１２ａにおいて重複部位１２ｂの外方側縁部１２ａ−１に続く部分の固定が解除される。
【００５８】
しかも前述したように、これらの固定は固定強度調節処理により所望の強さに調節されることが出来るので、密封容器１０における密封の要求の程度が大きくてこれらの固定を十分に行なった場合でも、これらの固定を上述した如く解除する際に取っ手部材１８に負荷する必要のある引っ張り力は比較的小さくて良く、平均的な成人男性に比べ力が弱いとされる人、例えば女性一般や老人や乳幼児を除く子供、でも、本願の一実施の形態に従った密封容器１０を容易に開封することが出来る。
【００５９】
次に図４を参照しながら、上述した一実施の形態における胴部材１２の密封性を有した薄板状の素材１２ａ、第１及び第２の蓋部材１４，１６の夫々に共通の密封性を有した薄板状の素材、そして密封シール２０の素材の夫々の具体例について詳細に説明する。
【００６０】
上述した一実施の形態において胴部材１２の密封性を有した薄板状の素材１２ａは、紙を基材Ｐａとしていて、紙基材Ｐａにおける胴部材１２の外表面の側に接着層Ａｄを介してシーラントＳｅが積層されている。
【００６１】
接着層Ａｄは、例えばウレタン系接着剤又はポリエチレン等の積層用ポリオレフィンにより構成することが出来、シーラントＳｅはポリエチレン又はポリプロピレン等のポリオレフィンにより構成することが出来る。
【００６２】
紙基材Ｐａのおける胴部材１２の内表面の側には、接着層Ａｄ，密封性膜Ｓｆ，接着層Ａｄ，補強膜Ｒｅ，接着層Ａｄ，そしてシーラントＳｅがこの順に積層されている。
【００６３】
密封性膜Ｓｆは、所望の密封の程度に応じて公知の種々の密封性を有した材料から形成することが出来るが、この実施の形態では無機材料蒸着膜またはアルミニウム膜を使用しており、例えば酸化アルミや酸化ケイ素等に代表されるような無機酸化物を略２０乃至１５０ナノメータの厚さでポリエステルフィルムのような基材上に真空蒸着法などの蒸着法により蒸着することにより作成されている。
【００６４】
このような密封性膜Ｓｆは、気密密封性（ガスバリヤ性）を有している。
【００６５】
接着層Ａｄ及びシーラントＳｅについては上述した通りであり、また補強膜Ｒｅはナイロンやポリエチレンテレフタレートなどの補強用フィルムである。
【００６６】
即ち、この実施の形態では、胴部材１２の密封性を有した薄板状の素材１２ａは、外表面から内表面に向かい：シーラントＳｅ／接着層Ａｄ／紙基材Ｐａ／接着層Ａｄ／密封性膜Ｓｆ／接着層Ａｄ／補強膜Ｒｅ／接着層Ａｄ／そしてシーラントＳｅがこの順に積層されている。
【００６７】
そして、図４中に拡大されて示されているように、胴部材１２の密封性を有した薄板状の素材１２ａの両側縁部の重複部位１２ｂにおいて外方側縁部１２ａ−１の内表面のシーラントＳｅが内方側縁部１２ａ−２の外表面のシーラントＳｅに隣接している。従って、外方側縁部１２ａ−１の内表面を内方側縁部１２ａ−２の外表面に前述した如く直接的に固定する場合には、外方側縁部１２ａ−１の内表面のシーラントＳｅを内方側縁部１２ａ−２の外表面のシーラントＳｅに対し、素材１２ａの密封性を損なわない公知の種々の固定方法、例えばヒートシールや接着剤、により相互に固定されることが出来る。
【００６８】
なお補強膜Ｒｅは、密封容器１０の使用目的によってはそれに隣接する１つの接着層Ａｄとともに省略することが可能である。
【００６９】
上述した一実施の形態において第１及び第２の蓋部材１４，１６の夫々に共通の密封性を有した薄板状の素材は、図４中に拡大されて示されているように、胴部材１２の一方及び他方の開口端部の内周面とは反対側を向いている外表面から上記内周面に対面している内表面までに：紙基層Ｐａ／接着層Ａｄ／密封性膜Ｓｆ／接着層Ａｄ／補強膜Ｒｅ／接着層Ａｄ／そしてヒートシール強度調節処理膜Ｈｓｃがこの順で積層されている。
【００７０】
ヒートシール強度調節処理膜Ｈｓｃは、例えばポリオレフィン系剥離剤やホットメルトやヒートシールラッカー等の塗工性剥離剤等として従来から広く知られてる。
【００７１】
なお図４中の第１の蓋部材１４の素材の断面は、第１の蓋部材１４において胴部材１２の一方の開口端部の内周面に固定されている張り出し部１４ｂにおける断面であり、本体１４ａの断面では紙基層Ｐａが胴部材１２の一方の開口端部の開口において最も外側に配置されヒートシール強度調節処理膜Ｈｓｃが最も内側に配置される。
【００７２】
第１及び第２の蓋部材１４，１６の夫々に共通の密封性を有した薄板状の素材においても、補強膜Ｒｅは、密封容器１０の使用目的によってはそれに隣接する１つの接着層Ａｄとともに省略することが可能である。
【００７３】
即ちこの一実施の形態では、第１の蓋部材１４の張り出し部１４ｂ及び第２の蓋部材１６の張り出し部１６ｂは夫々において、胴部材１２の一方及び他方の開口端部の内周面に対面しているヒートシール強度調節処理膜Ｈｓｃを介して上記内周面のシーラントＳｅにヒートシールにより固定されている。
【００７４】
さらに、上述した一実施の形態において密封テープ２０は、胴部材１２の素材１２ａの内方側縁部１２ａ−２の端面と外表面及び内表面における上記端面の隣接部分とは反対側を向いた外表面から上記端面及び上記隣接部分に対面した内表面までを、ヒートシール強度調節処理膜Ｈｓｃ／接着層Ａｄ／密封性膜Ｓｆ／接着層Ａｄ／補強膜Ｒｅ／接着層Ａｄ／シーラントＳｅがこの順で積層されている。
【００７５】
密封テープ２０においても、補強膜Ｒｅは、密封容器１０の使用目的によってはそれに隣接する１つの接着層Ａｄとともに省略することが可能である。
【００７６】
即ちこの実施の形態では、密封テープ２０は、胴部材１２の素材１２ａの内方側縁部１２ａ−２の端面と外表面のシーラントＳｅにおける上記端面の隣接部分及び内表面のシーラントＳｅにおける上記端面の隣接部分に対し、内表面のシーラントＳｅがヒートシールにより固定されている。
【００７７】
さらに、密封テープ２０は、図４中に示されている如く、胴部材１２の素材１２ａの外方側縁部１２ａ−１の内周面のシーラントＳｅに対し、密封テープ２０の外表面の上記端面隣接部分が外表面のヒートシール強度調節処理膜Ｈｓｃを介してヒートシールにより固定されているし、第１及び第２の蓋部材１４，１６の張り出し部１４ｂ，１６ｂの内表面のヒートシール強度調節処理膜Ｈｓｃに対し、密着テープ２０の上記内表面の上記端面隣接部分が外表面のヒートシール強度調節処理膜Ｈｓｃを介してヒートシールにより固定されてる。
【００７８】
図４を参照しながら上述した一実施の形態における胴部材１２の密封性を有した薄板状の素材１２ａ、第１及び第２の蓋部材１４，１６の夫々に共通の密封性を有した薄板状の素材、そして密封シール２０の素材の夫々の具体例の変形例としては、以下のようなものが考えられる。
【００７９】
胴部材１２の密封性を有した薄板状の素材１２ａは、外表面から内表面に向かい：シーラントＳｅ／接着層Ａｄ／紙基材Ｐａ／接着層Ａｄ／密封性膜Ｓｆ／接着層Ａｄ／補強膜Ｒｅ／接着層Ａｄ／そしてヒートシール強度調節処理膜Ｈｓｃがこの順に積層されている。
【００８０】
そして、胴部材１２の素材１２ａの重複部位１２ｂにおいて外方側縁部１２ａ−１の内表面が内方側縁部１２ａ−２の外表面にヒートシールにより相互に直接的に固定される場合には、外方側縁部１２ａ−１の内表面のヒートシール強度調節処理膜Ｈｓｃが内方側縁部１２ａ−２の外表面のシーラントＳｅにヒートシールにより相互に直接的に固定されることが出来る。
【００８１】
なおここにおいても補強膜Ｒｅは、密封容器１０の使用目的によってはそれに隣接する１つの接着層Ａｄとともに省略することが可能である。
【００８２】
この変形例において、第１及び第２の蓋部材１４，１６の夫々に共通の密封性を有した薄板状の素材は、胴部材１２の一方及び他方の開口端部の内周面とは反対側を向いている外表面から上記内周面に対面している内表面までに：紙基層Ｐａ／接着層Ａｄ／密封性膜Ｓｆ／接着層Ａｄ／補強膜Ｒｅ／接着層Ａｄ／そしてシーラントＳｅがこの順で積層されている。
【００８３】
従って図４中の第１の蓋部材１４の素材の断面は、第１の蓋部材１４において胴部材１２の一方の開口端部の内周面に固定されている張り出し部１４ｂにおける断面なので、本体１４ａの断面では紙基層Ｐａが胴部材１２の一方の開口端部の開口において最も外側に配置されシーラントＳｅが最も内側に配置される。
【００８４】
ここにおいても、補強膜Ｒｅは、密封容器１０の使用目的によってはそれに隣接する１つの接着層Ａｄとともに省略することが可能である。
【００８５】
そしてこの変形例では、第１の蓋部材１４の張り出し部１４ｂ及び第２の蓋部材１６の張り出し部１６ｂは夫々において、胴部材１２の一方及び他方の開口端部の内周面のヒートシール強度調節処理膜Ｈｓｃに対して上記内表面のシーラントＳｅがヒートシールにより固定されている。
【００８６】
さらに、この変形例において密封テープ２０は、胴部材１２の素材１２ａの内方側縁部１２ａ−２の端面と外表面及び内表面における上記端面の隣接部分とは反対側を向いた外表面から上記端面及び上記隣接部分に対面した内表面までを、シーラントＳｅ／接着層Ａｄ／密封性膜Ｓｆ／接着層Ａｄ／補強膜Ｒｅ／接着層Ａｄ／シーラントＳｅがこの順で積層されている。
【００８７】
ここにおいても、補強膜Ｒｅは、密封容器１０の使用目的によってはそれに隣接する１つの接着層Ａｄとともに省略することが可能である。
【００８８】
即ちこの実施の形態では、密封テープ２０は、胴部材１２の素材１２ａの内方側縁部１２ａ−２の端面と外表面のシーラントＳｅにおける上記端面の隣接部分及び内表面のヒートシール強度調節処理膜Ｈｓｃにおける上記端面の隣接部分に対し、内表面のシーラントＳｅがヒートシールにより固定される。
【００８９】
さらに、密封テープ２０は、胴部材１２の素材１２ａの両側縁部の重複部位における外方側縁部１２ａ−１の内周面のヒートシール強度調節処理膜Ｈｓｃに対し、密封テープ２０の外表面の上記端面隣接部分が外表面のシーラントＳｅをヒートシールにより固定されているし、第１及び第２の蓋部材１４，１６の張り出し部１４ｂ，１６ｂの内表面のシーラントＳｅに対し、密着テープ２０の上記内表面の上記端面隣接部分が外表面のシーラントＳｅがヒートシールにより固定される。
【００９０】
前述した如く構成されているこの発明の一実施の形態に従った密封容器１０は、以下のようにして作成される。
【００９１】
先ず、図２の（Ａ）及び（Ｂ）中に示されている如く、胴部材１２の為の素材１２ａの一端部に取っ手部材１８が一体的に成形されるとともに他端部の端面及び上記端面に隣接した外表面と内表面の夫々の部位に密封テープ２０が固定される。そして、胴部材１２の素材１２ａが型棒の外周面に巻かれ、両側縁部が重複され、そして重複部位１２ｂにおいて外方側縁部１２ａ−１の内表面が内方側縁部１２ａ−２の密封テープ２０の外表面と、さらには所望に応じて内方側縁部１２ａ−２の外表面とも、相互に固定される。この実施の形態では、重複部位１２ｂにおいて外方側縁部１２ａ−１の内表面のシーラントＳｅが内方側縁部１２ａ−２上の密封テープ２０の外表面のヒートシール強度調節処理膜Ｈｓｃと相互にヒートシールされる。
【００９２】
この時に、所望に応じて、外方側縁部１２ａ−１の内表面のシーラントＳｅを内方側縁部１２ａ−２の外表面のシーラントＳｅに対してもヒートシールにより直接的に固定することが出来る。
【００９３】
同時に、第１の蓋部材１４及び第２の蓋部材１６が、これらに共通の前述した素材から、本体１４ａ，１６ａと本体１４ａ，１６ａの周囲において素材の外表面の側に立ち上げられた張り出し部１４ｂ，１６ｂとを有する構造に成形される。
【００９４】
第１の蓋部材１４を胴部材１２の上記一端の開口に挿入し固定する前に、胴部材１２の外周面において一方の開口端部の開口の周辺が図示されていない分割金型の型凹所により胴部材１２の半径方向の外方から囲まれる。この型凹所は全体として胴部材１２の外周面と同じ横断面形状と寸法とを有している。そして、好ましくは、上記一方の開口端部の開口の内周面が高温空気により加熱される。
【００９５】
次に、上述した如く予め成形されている第１の蓋部材１４が胴部材１２の半径方向に拡径可能な図示しない挿入型に被せられて本体１４ａを先頭にして胴部材１２の上記一方の開口端部の開口に挿入され、本体１４ａの周囲の張り出し部１４ｂが胴部材１２の上記一方の開口端部の内周面の所望の位置に配置される。
【００９６】
次に、上記図示しない拡径可能な挿入型が拡径されて第１の蓋部材１４の張り出し部１４bを、分割金型の型凹所により胴部材１２の半径方向の外方から囲まれ支持されている胴部材１２の上記一方の開口端部の内周面上に押圧し、固定する。この実施の形態では、上記挿入型が第１の蓋部材１４の張り出し部１４bを押圧するとともに加熱して、胴部材１２の上記一方の開口端部の内周面のシーラントＳｅ及び胴部材１２の重複部位１２ｂの内方側縁部１２ａ−２の密封テープ２０の内表面隣接部分のヒートシール強度調節膜Ｈｓｃに対し、第１の蓋部材１４の張り出し部１４bの内表面のヒートシール強度調節膜Ｈｓｃがヒートシールされる。
【００９７】
上記押圧により第１の蓋部材１４の張り出し部１４bは隅部も含め全周に渡り胴部材１２の上記一方の開口端部の開口の内周面上に密接され、上記全周に渡り連続して固定、この実施の形態ではヒートシールされる。なおこの固定は、必要に応じて上記全周に渡り、又は上記全周の部分的に間欠的に行なうことも出来る。
【００９８】
第１の蓋部材１４の張り出し部１４bの内表面の固定強度調整膜Ｈｓｃは、上記ヒートシールの強度を所望の程度に調整する。
【００９９】
さらに、ヒートシールに代わり接着剤を使用して上記固定を、上記全周に渡り連続して、または必要に応じて上記全周に渡り部分的に間欠的に、行なうことも出来る。
【０１００】
次に、上述した如く予め成形されている第２の蓋部材１６が胴部材１２の半径方向に拡径可能な図示しない挿入型に被せられて本体１６ａを先頭にして胴部材１２の上記他方の開口端部の開口に挿入され、本体１６ａの周囲の張り出し部１６ｂが胴部材１２の上記他方の開口端部の内周面の所望の位置に配置される。
【０１０１】
次に、上記図示しない拡径可能な挿入型が拡径されて第２の蓋部材１６の張り出し部１６bが胴部材１２の上記他方の開口端部の内周面に対し、第１の蓋部材１４の張り出し部１４bが胴部材１２の上記一方の開口端部の内周面に対し固定、この実施の形態ではヒートシールされているのと同様に、固定、この実施の形態ではヒートシールされる。
【０１０２】
前述した一実施の形態や変形例においては、胴部材１２の素材１２ａや第１及び第２の蓋部材１４，１６に共通の素材や密封テープ２０は、密封性膜Ｓｆを構成している無機材料蒸着膜又はアルミニウム膜が気密密封機能を有している。しかしながら、この発明の理念に従えば、上記密封処理は気密密封処理及び防湿密封処理を含んでおり、従って密封機能を有する密封性膜として、望まれる密封性の程度に応じて上述した如きアルミニウム膜や無機材料蒸着膜以外の気密性膜や種々の材料の防湿性膜を使用することも出来る。
【０１０３】
上述した一実施の形態や変形例においてはさらに、胴部材１２，第１の蓋部材１４，そして第２の蓋部材１６の夫々の素材の薄板状材料に所望の遮光性を持たせることが出来る。より詳細には、上記素材の紙基材やそれに積層される種々の機能膜に所望の遮光性を有する物質を混ぜたり、機能膜として遮光膜を追加することが出来る。この場合、遮光膜は密封容器１０の外表面に所望の画像を描く為の種々の色彩の画像形成膜であることが出来る。例えば、紙基材としてバージンパルプを使用する代わりに古紙を使用するだけでも遮光性を増すことが出来る。
【０１０４】
本願の発明者等の実験によれば、紙基材としてバージンパルプを使用した場合には遮光性は５〜６ａｂｓであり、古紙を使用した場合には遮光性は３〜４ａｂｓであり、さらにバージンパルプに墨一色印刷した場合には遮光性は４ａｂｓになった。
【０１０５】
本願の発明に従った構成の密封容器は製造が容易であり、バージンパルプにより作成された紙基材よりも強度の落ちる古紙により作成された紙基材を使用した素材からでも十分製造可能なことが分かっている。
【０１０６】
前述したように、胴部材１２の素材１２ａの重複部位１２ｂの外方側縁部１２ａ−１と内方側縁部１２ａ−２との相互の固定１２’ｃは、図５の（Ａ）中に示されている如く、内方側縁部１２ａ−２の端面及び上記端面に対する外表面と内表面の隣接部を覆っている密封テープ２０の外表面隣接部を介して間接的に行なわれることが出来る。この場合、上記固定１２’ｃは取っ手部材１８に対応する部分がそれ以外の部分よりも取っ手部材１８に接近していることが好ましいことは言うまでもない。図５の（Ａ）中では、上記固定１２’ｃは、取っ手部材１８に対応する部分のみが取っ手部材１８の先端に向かい突出しているが、それ以外の部分は内方側縁部１２ａ−２の端面に沿い略平行である。
【０１０７】
また、胴部材１２の素材１２ａの重複部位１２ｂの外方側縁部１２ａ−１と内方側縁部１２ａ−２との相互の固定１２’ｃは、図５の（Ｂ）中に示されている如く、内方側縁部１２ａ−２の外表面との直接的な固定と内方側縁部１２ａ−２の端面及び上記端面に対する外表面と内表面の隣接部を覆っている密封テープ２０の外表面隣接部を介した内方側縁部１２ａ−２との間接的な固定との組合せによっても行なわれることが出来る。この場合も、上記固定１２’ｃは取っ手部材１８に対応する部分がそれ以外の部分よりも取っ手部材１８に接近していることが好ましいことは言うまでもない。ここにおいて上記固定１２’ｃは、取っ手部材１８に対応する部分から内方側縁部１２ａ−２の両側に向かうにつれて徐々に内方側縁部１２ａ−２の端面に向かい湾曲している。
【０１０８】
【発明の効果】
以上詳述したことから明らかなように、この発明に従った密封容器は、密封性の程度が高くても従来に比べ容易に安価に製造することが出来る。
【０１０９】
さらにこの発明に従った密封容器は、従来に比べ容易に安価に製造することが出来、密封性の程度が高くても容易に開封することが出来る。
【０１１０】
しかも、酸素を含むガスに対するガスバリア性などの気密性や防湿性などの要望に応じた密封性を容易に実現することが出来、例えば水蒸気に触れることが好ましくない洗剤や写真フィルムや水蒸気や酸素に触れることが好ましくない食品や医薬品等の包装に使用することに適している。
【図面の簡単な説明】
【図１】（Ａ）は、この発明の一実施の形態に従った密封容器の概略的な斜視図であり；そして、
（Ｂ）は、（Ａ）のＢ−Ｂ線に沿った概略的な縦断面図である。
【図２】（Ａ）は、図１の（Ａ）の密封容器の筒状の胴部材の展開図であり；そして、
（Ｂ）は、図２の（Ａ）の展開されている胴部材の側面図である。
【図３】（Ａ）は、図１の（Ａ）のＡ−Ａ線に沿った概略的な横断面図であり；そして、
（Ｂ）は、図３の（Ａ）の横断面図に示されていた密封容器の筒状の胴部材の取っ手に外力が負荷されて密封容器の筒状の胴部材の素材の重複部位の固定が解除され、さらに胴部材の両開口端部の開口を閉塞している第１及び第２の蓋部材の張り出し部に対する胴部材の両開口端部の固定の一部が解除されて、密封容器が開封された状態を示す横断面図である。
【図４】図３の（Ａ）に示されていた密封容器の横断面図に示されていた密封容器の筒状の胴部材の素材の重複部位を、上記重複部位に設けられている密封テープ及び上記重複部位に隣接した第１の蓋部材の張り出し部とともに、拡大した横断面で示す横断面図である。
【図５】（Ａ）及び（Ｂ）は、図１乃至図４中に示されているこの発明の一実施の形態に従った密封容器の胴部材の素材の重複部位における両側縁部の固定の変形例を示す、上記密封容器の胴部材の素材の重複部位の概略的な正面図である。
【符号の説明】
１０  密封容器
１２  胴部材
１２ａ  素材
１２ａ−１  外方側縁部
１２ａ−２  内方側縁部
１２ｂ  重複部位
１２ｃ  固定
１２ｃ−１  取っ手部材対応部分
１４  第１の蓋部材
１４ａ  本体
１４ｂ  張り出し部
１６  第２の蓋部材
１６ａ  本体
１６ｂ  張り出し部
１８  取っ手部材
１８ａ  両端縁
２０  密封テープ
【図１】
0004843887.tif 000002
【図２】
0004843887.tif 000003
【図３】
0004843887.tif 000004
【図４】
0004843887.tif 000005
【図５】
0004843887.tif 000006